(57)【特許請求の範囲】
【請求項１】
第一ストラップが設けられたバックパック、ショルダーバッグ又はウェストバッグであるバッグ本体を備える電子バッグであって、ディスプレイスクリーンと第一タッチパネルとを更に備え、前記第一タッチパネルにユーザの指がスワイプする場合、前記第一タッチパネルは、スワイプ方向を表示するように前記ディスプレイスクリーンを制御し、前記ディスプレイスクリーンは前記バッグ本体における装着時に装着者の後方を向く外表面に設けられ、第一タッチパネルは前記第一ストラップにおける装着時に装着者の前方の位置に設けられることを特徴とする電子バッグ。
【請求項２】
前記第一タッチパネルにユーザの指が右へスワイプする場合、前記第一タッチパネルは、右折矢印を表示するように前記ディスプレイスクリーンを制御することを特徴とする、請求項１に記載の電子バッグ。
【請求項３】
前記電子バッグはオーディオプレーヤを更に備え、前記第一タッチパネルは前記オーディオプレーヤに電気的に接続され、オーディオの再生を制御することを特徴とする、請求項１に記載の電子バッグ。
【請求項４】
前記電子バッグは、オーディオプレーヤと第二タッチパネルとを更に備え、前記第二タッチパネルは前記オーディオプレーヤに電気的に接続され、オーディオの再生を制御することを特徴とする、請求項１に記載の電子バッグ。
【請求項５】
前記第二タッチパネルは、第一ストラップに設けられることを特徴とする、請求項４に記載の電子バッグ。
【請求項６】
前記電子バッグは第二ストラップを更に備え、前記第二タッチパネルは前記第二ストラップに設けられることを特徴とする、請求項４に記載の電子バッグ。
【請求項７】
前記第一タッチパネルは、フレキシブルタッチパネルであることを特徴とする、請求項１に記載の電子バッグ。
【請求項８】
前記第二タッチパネルは、フレキシブルタッチパネルであることを特徴とする、請求項４に記載の電子バッグ。
【請求項９】
前記オーディオプレーヤは、前記電子バッグの底部に設けられることを特徴とする、請求項３又は４に記載の電子バッグ。
【請求項１０】
前記ディスプレイスクリーンは、ＬＥＤ格子状のスクリーンであることを特徴とする、請求項１に記載の電子バッグ。
【請求項１１】
バックパック、ショルダーバッグ又はウェストバッグである電子バッグのストラップにおける装着時に装着者の前方の位置に設けられたフレキシブルタッチパネルでのスワイプ動作を感知するステップと、スワイプ方向を表示するように前記電子バッグの装着時に装着者の後方を向く外表面に設けられたディスプレイスクリーンを制御するステップと、を備えることを特徴とする電子バッグ制御方法。
【請求項１２】
前記フレキシブルタッチパネルにユーザの指が右へスワイプする場合、右折矢印を表示するように前記電子バッグのディスプレイスクリーンを制御することを特徴とする、請求項１１に記載の電子バッグ制御方法。
【請求項１３】
前記電子バッグは、別のストラップと、前記別のストラップに設けられた別のフレキシブルタッチパネルとを更に備え、前記別のフレキシブルタッチパネルは、別のタッチ動作を感知し、オーディオを再生するように前記電子バッグのオーディオプレーヤを制御することを特徴とする、請求項１１に記載の電子バッグ制御方法。
【発明の詳細な説明】
【技術分野】
【０００１】
本発明は、バッグ分野に関し、特に、電子バッグおよび電子バッグ制御方法に関する。
【背景技術】
【０００２】
バッグは、日常生活において人々に良く使用され、物品を収納するためのものである。周知のバッグによって、人々の外出および物品の携帯は便利になる。また、人々の生活水準の向上に伴って、人々の異なるニーズを満たすために、バッグが今多様化しているが、しかしながら、多数のバッグは、従来の収納機能のみ備え、機能および応用範囲が比較的に単一である。
【発明の概要】
【０００３】
本発明は、多様な機能を有する電子バッグおよび電子バッグ制御方法を提供する。
【０００４】
電子バッグは、バッグ本体を備え、前記バッグ本体に第一ストラップが設けられる。電子バッグは、ディスプレイスクリーンと、第一タッチパネルとを更に備え、前記第一タッチパネルは、異なるタッチ動作を感知することにより異なる画像を表示するように前記ディスプレイスクリーンを制御し、前記ディスプレイスクリーンは、前記バッグ本体の外表面に設けられ、第一タッチパネルは、前記第一ストラップに設けられる。
【０００５】
また、前記第一タッチパネルは、第一タッチセンサと第一コントローラとを備え、前記第一タッチセンサは、前記第一タッチパネルでのタッチ動作を感知し、前記第一コントローラは、前記タッチ動作に対応する画像を表示するように前記ディスプレイスクリーンを制御する。
【０００６】
また、前記タッチ動作に対応する画像は、予め設定され、且つ、前記第一コントローラに予め記憶される。
【０００７】
また、前記タッチ動作に対応する画像のトレイスは、前記タッチ動作のトレイスと同様である。
【０００８】
また、前記電子バッグはオーディオプレーヤを更に備え、前記第一タッチパネルは、前記オーディオプレーヤに電気的に接続され、オーディオの再生を制御する。
【０００９】
また、前記電子バッグは、オーディオプレーヤと、第二タッチパネルとを更に備え、前記第二タッチパネルは、前記オーディオプレーヤに電気的に接続され、オーディオの再生を制御する。
【００１０】
また、前記第二タッチパネルは、第一ストラップに設けられる。
【００１１】
また、前記電子バッグは、第二ストラップを更に備え、前記第二タッチパネルは、前記第二ストラップに設けられる。
【００１２】
また、前記第一タッチパネルは、フレキシブルタッチパネルである。
【００１３】
また、前記第二タッチパネルは、フレキシブルタッチパネルである。
【００１４】
また、前記オーディオプレーヤは、前記電子バッグの底部に設けられる。
【００１５】
また、前記ディスプレイスクリーンは、ＬＥＤ格子状のスクリーンである。
【００１６】
電子バッグ制御方法は、電子バッグのストラップに設けられたフレキシブルタッチパネルでのタッチ動作を感知するステップと、前記タッチ動作に対応する画像を表示するように前記電子バッグのディスプレイスクリーンを制御するステップと、を備える。
【００１７】
また、前記画像は、前記電子バッグのコントローラに予め記憶され、前記タッチ動作のトレイスが前記画像のトレイスにマッチングする場合、前記画像は選ばれ且つ前記ディスプレイスクリーンに表示される。
【００１８】
また、前記電子バッグは、別のストラップと、前記別のストラップに設けられた別のフレキシブルタッチパネルとを更に備え、前記別のフレキシブルタッチパネルは、別のタッチ動作を感知し、オーディオを再生するように前記電子バッグのオーディオプレーヤを制御する。
【００１９】
従来のバッグに比べて、本発明に係る電子バッグは、収納機能を備える上に、ユーザの意図に応じて異なる画像を表示することができるため、この電子バッグは、良い実用性を有する。
【図面の簡単な説明】
【００２０】
【図１】図１は、本発明の第一実施形態に係る電子バッグの正面図である。
【図２】図２は、本発明の第一実施形態に係る電子バッグの背面図である。
【図３】図３は、本発明の第二実施形態に係る電子バッグの背面図である。
【図４】図４は、本発明の第二実施形態に係る電子バッグの平面図である。
【図５】図５は、本発明の第一実施形態に係る電子バッグの側面図である。
【図６】図６は、本発明の第一実施形態に係る電子バッグの斜視図である。
【図７】図７は、本発明の実施形態に係る第一タッチパネルのブロック図である。
【図８】図８は、本発明の実施形態に係る電子バッグのブロック図である。
【図９】図９は、本発明の実施形態に係る第二タッチパネルのブロック図である。
【図１０】図１０は、本発明の実施形態に係る電子バッグ制御方法のフローチャートである。
【発明を実施するための形態】
【００２１】
以下は、本発明の好適な実施形態であるが、当業者にとっては、本発明の要旨を逸脱しない範囲において様々な改良および修正が可能であり、これらの改良および修正は、特許請求の範囲に属するものとする。
【００２２】
図１〜２および図５〜６から分かるように、本発明に係る電子バッグは、バッグ本体１０を備える。このバッグ本体１０には、ストラップ１１が設けられる。電子バッグは、ディスプレイスクリーン２０と、異なる画像を表示するようにディスプレイスクリーン２０を制御するための第一タッチパネル３１とを更に備える。ディスプレイスクリーン２０は、バッグ本体１０の外表面に設けられる。第一タッチパネル３１は、ストラップ１１に設けられる。第一タッチパネル３１のサイズは、ディスプレイスクリーン２０のサイズよりも小さくてもよい。
【００２３】
この実施形態において、バッグは、バックパックである。他の実施形態において、バッグは、ショルダーバッグ、ウエストバッグ、書類かばん、ハンドバッグ、斜め掛けバッグまたはトラベルケースであってもよい。
【００２４】
この実施形態において、電子バッグは、一つのディスプレイスクリーン（ディスプレイスクリーン２０）を備える。他の実施形態において、電子バッグは、二つ以上のディスプレイスクリーンを備えてもよい。
【００２５】
この実施形態では、ディスプレイスクリーン２０は、バッグ本体１０の正面に設けられ、つまり、ディスプレイスクリーン２０は、ストラップ１１から離れた面に設けられる。他の実施形態では、ディスプレイスクリーン２０は、バッグ本体１０の側面に設けられてもよい。
【００２６】
この実施形態では、ディスプレイスクリーン２０は、ＬＥＤ格子状のスクリーン又はフレキシブルディスプレイスクリーンである。
【００２７】
この実施形態では、ディスプレイスクリーン２０は、長方形である。他の実施形態では、ディスプレイスクリーン２０は、任意の形状、例えば、円形、長方形、長手形または不規則の形状であってもよい。
【００２８】
この実施形態では、ディスプレイスクリーン２０は、異なる画像を表示することにより、バッグ本体１０の外観を変える。具体的には、ユーザによって第一タッチパネル３１において行われる異なるスワイプ操作やタップ操作は、異なる画像を表示するようにディスプレイスクリーン２０を制御可能である。
【００２９】
具体的には、ディスプレイスクリーン２０は、ユーザの要求に応じて特定の画像を表示することができる。画像は、警告画像または宣伝画像であってもよく、警告画像は、左折矢印、右折矢印、停止または加速であり得る。
【００３０】
この実施形態において、第一タッチパネル３１は、ストラップ１１に設けられたため、ユーザが第一タッチパネル３１に操作を行い、異なる画像を表示するようにディスプレイスクリーン２０を制御することで便利になる。
【００３１】
この実施形態において、第一タッチパネル３１は、フレキシブルタッチパネルであってもよい。
【００３２】
この実施形態において、第一タッチパネル３１は、電気抵抗式タッチパネル、静電容量式タッチパネル、赤外式タッチパネル又は表面波式タッチパネルであってもよい。
【００３３】
この実施形態において、第一タッチパネル３１は、ねじ、クリップ又はマジックテープ（登録商標）によって、ストラップ１１に固定される。この実施形態において、ストラップ１１には、一つのタッチパネル（第一タッチパネル３１）が設けられる。他の実施形態では、ストラップ１１に複数のタッチパネルが設けられてもよい。
【００３４】
図７を参照すると、第一タッチパネル３１は、第一タッチセンサ３１０と第一コントローラ３１１とを備える。電子バッグ内には、第一タッチセンサ３１０および第一コントローラ３１１に電気エネルギーを供給するための電源モジュール（図示せず）が設けられる。第一タッチセンサ３１０は、第一タッチパネル３１でのタッチ動作を感知するためのものである。第一コントローラ３１１は、ディスプレイスクリーン２０に電気的に接続されており、感知されたタッチ動作に応じて制御コマンドを生成することにより、対応する画像を表示するようにディスプレイスクリーン２０を制御するためのものである。
【００３５】
ユーザによって、第一タッチパネル３１にてタッチ動作が行われる場合、第一タッチセンサ３１０は、該タッチ動作を感知しており、第一コントローラ３１１は、感知されたタッチ動作に応じて制御コマンドを生成することにより、対応する画像を表示するようにディスプレイスクリーン２０を制御する。具体的には、この実施形態において、第一コントローラ３１１は、感知されたタッチ動作に応じて、デフォルト画像を表示するようにディスプレイスクリーン２０を制御する。第一コントローラ３１１には、複数のデフォルト画像が予め記憶され、それぞれのデフォルト画像は、一つのタッチトレイス（ｔｏｕｃｈ  ｔｒａｃｅ）に対応する。タッチ動作が、予め設定されたあるタッチトレイスにマッチングする場合、ディスプレイスクリーン２０には、対応するデフォルト画像が表示される。例えば、第一タッチパネル３１に１本の指が右へスワイプすると、ディスプレイスクリーン２０には、右折矢印が表示され、また、第一タッチパネル３１に１本の指が下へスワイプすると、ディスプレイスクリーン２０には、停止標識が表示され、第一タッチパネル３１に１本の指が上へスワイプすると、ディスプレイスクリーン２０には、加速標識が表示される。他の実施形態では、第一コントローラ３１１は、タッチ動作のトレイスを有する画像を表示するようにディスプレイスクリーン２０を制御する。例えば、ユーザによって第一タッチパネル３１に円が描かれる場合、ディスプレイスクリーン２０には、円が表示される。ユーザによって第一タッチパネル３１に「停止」と書かれる場合、ディスプレイスクリーン２０には、「停止」と表示される。表示された画像のトレイスがタッチ動作のトレイスと同様であるため、ユーザが異なる画像を表示するようにディスプレイスクリーン２０を制御することは便利になる。
【００３６】
図８を参照すると、この実施形態では、電子バッグはオーディオプレーヤ４０を更に備える。第一タッチパネル３１は、オーディオプレーヤ４０に電気的に接続され、オーディオの再生を制御する。第一タッチパネル３１は、異なる画像を表示するようにディスプレイスクリーン２０を制御すると共に、オーディオを再生するようにオーディオプレーヤ４０を制御する。
【００３７】
この実施形態では、バッグ本体１０にオーディオプレーヤ４０が設けられることにより、周知のバッグがオーディオ再生の機能を有する。
【００３８】
図３〜４に示すように、もう一つの実施形態では、電子バッグは、第二タッチパネル３２を更に備える。第二タッチパネル３２は、オーディオプレーヤ４０に電気的に接続され、オーディオの再生を制御する。
【００３９】
この実施形態では、第一タッチパネル３１がストラップ１１に設けられ、第二タッチパネル３２がストラップ１２に設けられる。他の実施形態では、第二タッチパネル３２および第一タッチパネル３１は同じストラップに設置されてもよい。
【００４０】
図９を参照すると、具体的には、第二タッチパネル３２は、第二タッチセンサ３２０と第二コントローラ３２１とを備える。第二コントローラ３２１は、バッグ本体１０のストラップ１２に設けられる。他の実施形態では、第二コントローラ３２１および第一コントローラ３１１は同一のコントローラであってもよい。つまり、一つのコントローラによって、第一タッチセンサ３１０および第二タッチセンサ３２０が制御されてもよい。電源モジュールは、第二タッチセンサ３２０および第二コントローラ３２１にも電気エネルギーを供給する。第二タッチセンサ３２０は、第二タッチパネル３２でのタッチ動作を感知するためのものである。第二コントローラ３２１は、該タッチ動作に応じて制御コマンドを生成することにより、オーディオを再生し、又は、音量を調節するようにオーディオプレーヤ４０を制御するためのものである。
【００４１】
具体的には、オーディオプレーヤ４０は、挿入されたイヤホーン又はバッグに内蔵されたスピーカーである。オーディオプレーヤ４０は、電子バッグの底部に設けられてもよい。
【００４２】
ユーザによって、第二タッチパネル３２にタッチ動作が行われる場合、第二タッチセンサ３２０は、該タッチ動作を感知しており、第二コントローラ３２１は、感知されたタッチ動作に応じて制御コマンドを生成することにより、オーディオの再生又は音量の調節を制御する。例えば、ユーザは第二タッチパネル３２に１本の指が上下にスワイプすると、オーディオプレーヤ４０は、オーディオの音量を調節しており、また、ユーザは第二タッチパネル３２に１本の指が左右にスワイプすると、オーディオプレーヤ４０は、前の歌曲または次の歌曲を再生する。もちろん、予め設定された動作によって、異なる機能が実現されることができ、例えば、ユーザは、第二タッチパネル３２に「ｒ」と描くと、オーディオプレーヤ４０が歌曲をランダムに再生しており、また、「ｗ」と描くと、オーディオプレーヤ４０が姓の最初のアルファベットが「ｗ」である歌手の歌を再生する。
【００４３】
この実施形態では、第二タッチパネル３２は、ストラップに設けられたため、ユーザが第二タッチパネル３２に操作を行い、オーディオの再生を制御することは便利になる。
【００４４】
従来のバッグに比べて、本発明に係る電子バッグは、収納機能を備える上に、ユーザの意図に応じて異なる画像を表示し、または、異なるオーディオを再生することができるため、この電子バッグは、複数の機能を備え、良い実用性を有する。
【００４５】
図１０を参照すると、図１０は、本発明の実施形態に係る電子バッグ制御方法のフローチャートである。この方法は、電子バッグのストラップに設けられたフレキシブルタッチパネルでのタッチ動作を感知するステップ１００１と、該タッチ動作に対応する画像を表示するように電子バッグのディスプレイスクリーンを制御するステップ１００２と、を備える。電子バッグは、上記の電子バッグと同じものであるため、重複の説明は省略する。
【００４６】
上記の説明は、本発明の若干の実施形態に過ぎない。この詳しい説明は、本発明の技術的範囲を限定するものではない。当業者にとって、本発明の要旨を逸脱しない範囲で若干の変更や改良を行うことは可能であり、これらの変更や改良は本発明の保護範囲に属するものである。従って、本発明の保護範囲は、添付の特許請求の範囲に準じる。
【符号の説明】
【００４７】
１０  バッグ本体
１１  ストラップ
２０  ディスプレイスクリーン
３１  第一タッチパネル
１２  ストラップ
３２  第二タッチパネル
４０  オーディオプレーヤ
３１０  第一タッチセンサ
３１１  第一コントローラ
３２０  第二タッチセンサ
３１１  第二コントローラ
【図１】
0006522576.tif 000002
【図２】
0006522576.tif 000003
【図３】
0006522576.tif 000004
【図４】
0006522576.tif 000005
【図５】
0006522576.tif 000006
【図６】
0006522576.tif 000007
【図７】
0006522576.tif 000008
【図８】
0006522576.tif 000009
【図９】
0006522576.tif 000010
【図１０】
0006522576.tif 000011